(57)【要約】【課題】  メカ制御装置を搭載することなく，フロントパネルがトレイの出し入れの妨げとなる弊害を排除することの可能な電子機器を提供する。【解決手段】  ディスクプレーヤ１００は，ディスク１２５を筐体１１０の内部に収納する位置とディスクを筐体の外部に露出する位置との間で開閉動作を行うトレイ１２０と，トレイの開閉動作の進路を遮る位置とトレイの開閉動作の進路を遮らない位置との間で，手動で開閉自在なフロントパネル１３０と，トレイの開閉動作の指示を与えるためのイジェクトボタン１４０と，トレイスイッチ１７０およびパネルスイッチ１８０に接続され，トレイの開閉状態およびフロントパネルの開閉状態に応じて，トレイの開閉動作を制御する制御部１６０とを備え，制御部は，イジェクトボタンが押下されたときに，フロントパネルが閉じた位置にある場合には，トレイの開閉動作を中断する。【選択図】  図１
2006099865.tif 000002
【特許請求の範囲】
【請求項１】
記録媒体へのアクセス動作を行う電子機器において，
筐体と，
記録媒体を支持した状態で，前記記録媒体を前記筐体の内部に収納する第１位置と，前記記録媒体を前記筐体の外部に露出する第２位置との間で開閉動作を行うトレイと，
前記トレイの開閉状態を検知するトレイ検知部と，
前記筐体の前面に設けられ，前記トレイの開閉動作の進路を遮る第１位置と，前記トレイの開閉動作の進路を遮らない第２位置との間で，手動で開閉自在なフロントパネルと，
前記フロントパネルの開閉状態を検知するパネル検知部と，
前記筐体表面に設けられ，押下することにより前記トレイの開閉動作の指示を与えるためのイジェクトボタンと，
前記トレイ検知部および前記パネル検知部に接続され，前記トレイの開閉状態および前記フロントパネルの開閉状態に応じて，前記トレイの開閉動作を制御する制御部と，
を備え，
前記制御部は，前記イジェクトボタンが押下されたときに，前記フロントパネルが第１位置にある場合には，前記トレイの開閉動作を中断することを特徴とする，電子機器。
【請求項２】
前記トレイ検知部は，前記トレイの位置を検知するための第１，第２のスイッチからなり，
前記制御部は，前記第１，第２のスイッチのオン・オフ状態に応じて，前記トレイが第１位置にある状態，前記トレイが開閉動作中の状態，および前記トレイが第２位置にある状態のいずれの状態であるかを判断することを特徴とする，請求項１に記載の電子機器。
【請求項３】
前記パネル検知部は，前記フロントパネルの開閉角度を検知し，
前記制御部は，前記フロントパネルの開閉角度に応じて，前記フロントパネルが第１位置にあるか第２位置にあるかを判断することを特徴とする，請求項１に記載の電子機器。
【請求項４】
前記制御部は，前記トレイの開閉動作を中断した後，所定時間内に前記フロントパネルが第２位置に動かされた場合に，前記トレイの開閉動作を再開することを特徴とする，請求項１に記載の電子機器。
【請求項５】
さらに，前記トレイの開閉状態および／または前記フロントパネルの開閉状態を表示する表示部を備えたことを特徴とする，請求項１に記載の電子機器。
【請求項６】
前記表示部は，前記制御部が前記トレイの開閉動作を中断したときに，前記フロントパネルを第２位置に動かすように促すメッセージを表示することを特徴とする，請求項５に記載の電子機器。
【請求項７】
前記メッセージは所定時間に関する情報を含み，
前記制御部は，前記所定時間内に前記フロントパネルが第２位置に動かされた場合に，前記トレイの開閉動作を再開することを特徴とする，請求項６に記載の電子機器。
【請求項８】
記録媒体へのアクセス動作を行う電子機器の制御方法において，
前記記録媒体を取り出すためのイジェクトボタンが押下されたか否かを判断する工程と，
前記イジェクトボタンが押下された場合に，フロントパネルが閉じた状態にあるか否かを判断する工程と，
前記フロントパネルが閉じた状態にある場合に，前記記録媒体のイジェクト動作を中断する工程と，
を含むことを特徴とする，電子機器の制御方法。
【請求項９】
前記記録媒体の取り出し動作を中断する工程の後，所定時間内に前記フロントパネルが開いた状態にある場合に，前記記録媒体のイジェクト動作を再開する工程を含むことを特徴とする，請求項８に記載の電子機器の制御方法。
【発明の詳細な説明】
【技術分野】
【０００１】
本発明は，電子機器および電子機器の制御方法にかかり，特に，記録媒体の出し入れを行うための開閉自在なフロントパネルを備えた電子機器および電子機器の制御方法に関する。
【背景技術】
【０００２】
音声や映像の記録や再生用のディスク(記録媒体)としてコンパクトディスク（以下、単にＣＤという）や，デジタルバースタイルディスク（ＤＶＤ）があり，これらディスクの記録／再生装置（ディスクプレーヤ）が市場に多く出回っている。このような電子機器の中には，例えば車載用のディスクプレーヤのように，前面に開閉自在なフロントパネルを備えたものがある（例えば，特許文献１，２参照。）。かかるフロントパネルは，通常は閉じた状態にしておき，必要なときにだけ開閉動作を行うことにより，ディスクの挿入部にディスク以外の異物が誤挿入されるのを防いだり，ゴミや埃などの進入を防いだりすることが主な役割であるが，機器のデザインをすっきり見せることができるなどの美観的な役割もあることから，近年の電子機器において多用されている。
【０００３】
【特許文献１】特開２００３−１４１８６２号公報
【特許文献２】特開２００３−３１７４５７号公報
【発明の開示】
【発明が解決しようとする課題】
【０００４】
ところで，フロントパネルには上述のような機能的・美観的な役割がある反面，記録媒体の出し入れの妨げになるという一面もある。従って，フロントパネルを備えた電子機器では，記録媒体の排出時に，記録媒体（あるいは記録媒体を載置するトレイ）がフロントパネルにぶつかってしまうのを避ける必要がある。このため，フロントパネルを手動にしてイジェクト（ＥＪＥＣＴ）ボタンをフロントパネルの内側に設けたり，リモートコントローラにはイジェクトボタンを設けないようにしたりするなどの設計上の制約が生じていた。また，フロントパネルを備えた電子機器において，イジェクトボタンをフロントパネルの外側に配置したい場合，フロントパネルの開閉を記録媒体の排出動作と同期して機械的な制御（メカ制御）を行う必要があり，装置構成・制御が複雑になっていた。
【０００５】
本発明は，従来の電子機器が有する上記問題点に鑑みてなされたものであり，本発明の目的は，電子機器において，フロントパネルの機能的・美観的な役割を生かしつつ，フロントパネルが記録媒体の出し入れの妨げとなる弊害を排除することの可能な，新規かつ改良された電子機器および電子機器の制御方法を提供することである。
【課題を解決するための手段】
【０００６】
上記課題を解決するため，本発明の第１の観点によれば，記録媒体へのアクセス動作（記録／再生動作など）を行う電子機器が提供される。また，本発明の第２の観点によれば，記録媒体へのアクセス動作を行う電子機器の制御方法が提供される。なお以下において，構成要素に付随して括弧書きで記す参照符号等は，理解を容易にするため，後述の実施形態および図面における対応する構成要素を一例として記したに過ぎず，本発明がこれに限定されるものではない。
【０００７】
本発明の第１の観点にかかる電子機器（１００）は，筐体（１１０）と，記録媒体を支持した状態で，記録媒体を筐体の内部に収納する第１位置と，記録媒体を筐体の外部に露出する第２位置との間で開閉動作を行うトレイ（１２０）と，トレイの開閉状態を検知するトレイ検知部（１７０）と，筐体の前面に設けられ，トレイの開閉動作の進路を遮る第１位置と，トレイの開閉動作の進路を遮らない第２位置との間で，手動で開閉自在なフロントパネル（１３０）と，フロントパネルの開閉状態を検知するパネル検知部（１８０）と，筐体表面に設けられ，押下することによりトレイの開閉動作の指示を与えるためのイジェクトボタン（１４０）と，トレイ検知部およびパネル検知部に接続され，トレイの開閉状態およびフロントパネルの開閉状態に応じて，トレイの開閉動作を制御する制御部（１６０）と，を備え，制御部は，イジェクトボタンが押下されたときに，フロントパネルが第１位置にある場合には，トレイの開閉動作を中断することを特徴とする。
【０００８】
このように本発明の電子機器は，イジェクトボタンが押下されたときに，フロントパネルが第１位置（閉じた位置）にある場合に，トレイの開閉動作を中断することを特徴とする。すなわち，イジェクトボタンが押下されたときに，フロントパネルが第２位置（開いた位置）にある場合にのみ，トレイに開閉動作を行わせることを特徴とする。
【０００９】
かかる構成によれば，トレイの開閉状態およびフロントパネルの開閉状態を複合的に検知し，トレイが開閉することに対する妨害物（フロントパネル）の状態を判断して，トレイの開閉動作を行うかどうかを判断することにより，メカ制御装置を搭載することなく，フロントパネルが記録媒体の出し入れの妨げとなる弊害を排除することが可能である。また，手動のフロントパネルを採用し，さらにメカ制御装置を搭載しないことにより，コストダウンと信頼性の向上が期待できる。なお，電子機器にフロントパネルを設けたことの効果（機能的効果・美観的効果）については上述の通りである。
【００１０】
本発明の電子機器において，トレイ検知部は，トレイの位置を検知するための第１，第２のスイッチからなり，制御部は，第１，第２のスイッチのオン・オフ状態に応じて，トレイが第１位置にある状態（閉じた状態），トレイが開閉動作中の状態，およびトレイが第２位置にある状態（開いた状態）のいずれの状態であるかを判断するようにしてもよい。
【００１１】
また，パネル検知部は，フロントパネルの開閉角度を検知し，制御部は，フロントパネルの開閉角度に応じて，フロントパネルが第１位置（閉じた位置）にあるか第２位置（開いた位置）にあるかを判断するようにしてもよい。
【００１２】
制御部は，トレイの開閉動作を中断した後，所定時間内にフロントパネルが第２位置（開いた位置）に動かされた場合に，トレイの開閉動作を再開するようにしてもよい。フロントパネルが手動で開閉自在である本願発明では，かかる所定時間を定義することが可能である。そして，所定時間内にフロントパネルが第２位置（開いた位置）に動かされた場合に，イジェクトボタンを有効にすることができる。なお，所定時間が経過してもフロントパネルが第２位置（開いた位置）に動かされない場合には，イジェクトボタンが押されていないのと同じ状態に遷移させればよい（イジェクト操作の無効化）。このようにして，操作性を向上させることができる。
【００１３】
さらに，トレイの開閉状態および／またはフロントパネルの開閉状態を表示する表示部（１５０）を備えるようにしてもよい。
【００１４】
かかる表示部には，電子機器の状態のほか，ユーザに対するメッセージなど様々な情報を表示させることができる。例えば，表示部には，制御部がトレイの開閉動作を中断したときに，フロントパネルを第２位置（開いた位置）に動かすように促すメッセージを表示させることができる。
【００１５】
さらに，フロントパネルを第２位置に動かすように促すメッセージとともに，あるいは，フロントパネルを第２位置に動かすように促すメッセージとは別に，所定時間に関する情報をメッセージ表示するようにしてもよい。そして，上述のように，制御部は，所定時間内にフロントパネルが第２位置に動かされた場合に，トレイの開閉動作を再開するようにしてもよい。
【００１６】
また，本発明の第２の観点にかかる電子機器の制御方法は，記録媒体を取り出すためのイジェクトボタンが押下されたか否かを判断する工程と，イジェクトボタンが押下された場合に，フロントパネルが閉じた状態にあるか否かを判断する工程と，フロントパネルが閉じた状態にある場合に，記録媒体のイジェクト動作を中断する工程と，を含むことを特徴とする。
【００１７】
本発明の電子機器の制御方法において，記録媒体の取り出し動作を中断する工程の後，所定時間内にフロントパネルが開いた状態にある場合に，記録媒体のイジェクト動作を再開する工程を含むようにしてもよい。
【００１８】
また，本発明の他の観点によれば，上記本発明の制御方法を電子機器に実行させるためのプログラム（ファームウェア）と，そのプログラムを記録した，コンピュータにより読み取り可能な記録媒体が提供される。かかるプログラム（ファームウェア）の組み込み・更新は，製品の出荷時に行うことができるほか，ユーザの手元においても，いわゆるインストールＣＤやネットワークを介したダウンロードによる方法等で適宜行うことができる。ここで，プログラムはいかなるプログラム言語により記述されていてもよい。また，記録媒体としては，例えば，ＣＤ−ＲＯＭ，ＤＶＤ−ＲＯＭ，フレキシブルディスクなど，プログラムを記録可能な記録媒体として現在一般に用いられている記録媒体，あるいは将来用いられるいかなる記録媒体をも採用することができる。
【発明の効果】
【００１９】
以上のように，本発明によれば，フロントパネルが開閉することに対する妨害物の状態を検知して，記録媒体を出し入れするかどうかを判断することにより，メカ制御装置を搭載することなく，フロントパネルが，記録媒体あるいは記録媒体を載置するトレイの出し入れの妨げとなる弊害を排除することが可能である。また，メカ制御装置を搭載しないことにより，コストダウンと信頼性の向上が期待できる。
【発明を実施するための最良の形態】
【００２０】
以下に添付図面を参照しながら，本発明にかかる電子機器および電子機器の制御方法の好適な実施形態について詳細に説明する。なお，本明細書および図面において，実質的に同一の機能構成を有する構成要素については，同一の符号を付することにより重複説明を省略する。
【００２１】
（第１の実施形態）
本発明の第１の実施形態について説明する。
本実施形態では，本発明にかかる電子機器の一例として，記録媒体（ディスク）を載置して支持するトレイ（以下，ディスクトレイという）の前に，手動のフロントパネルを備えた記録／再生装置（ディスクプレーヤ）を例に説明する。
【００２２】
図１は，ディスクプレーヤ１００の外観を概略的に示す説明図である。
ディスクプレーヤ１００は，図１に示したように，筐体１１０と，ディスクトレイ１２０と，フロントパネル１３０と，イジェクトボタン１４０と，表示部１５０を備えて構成されている。
【００２３】
図２は，ディスクプレーヤ１００の機能を概略的に示すブロック図である。
ディスクプレーヤ１００の筐体内部には，図２に示したように，制御部１６０と，ディスクトレイ１２０の開閉状態に応じてオン・オフするトレイスイッチ１７０と，フロントパネル１３０の開閉状態に応じてオン・オフするパネルスイッチ１８０と，トレイ制御部１９０を備えている。なお，図２に示したディスクトレイ１２０，フロントパネル１３０，イジェクトボタン１４０，および表示部１５０は，図１に示した各構成要素に対応するものである。
【００２４】
なお，図１および図２においては，通常の電子機器に備えられる構成要素（例えば，電源やイジェクトボタン１４０以外の各種操作ボタンなど）については，本実施形態の特徴的な構成要素でないため図示を省略しているが，これらが構成要素として備えられていることは言うまでもない。また，かかる本実施形態に特徴的な構成要素以外のものについては，本発明の技術的思想を逸脱しない範囲で様々な設計変更が可能である。以下に，図１，図２に示した各構成要素について説明する。
【００２５】
（筐体１１０）
筐体１１０には，その表面に図１に示した各構成要素が配置されており，その内部に図２に示した各構成要素が収容されている。筐体１１０の材質や形状などは，電子機器の種類や特性に応じて適宜設計可能である。例えば，車載用の電子機器の場合には，筐体１１０として熱や振動に強い材質を用いることができる。また，頻繁に持ち運びを行う電子機器の場合には，アルミニウムなどの軽くて丈夫な材質を用いることができる。また，電子機器にインテリア的な要素を持たせる場合には，木目調の材質などを用いることもできる。
【００２６】
（ディスクトレイ１２０）
ディスクトレイ１２０は，ディスクを載置して支持するトレイである。図３には，ディスクトレイ１２０の開閉動作が示されている。ディスクトレイ１２０は，図３に示したように，ディスク１２５を載置した状態で，ディスク１２５を筐体１１０の内部に収納する位置（閉じた位置）と，ディスク１２５を筐体１１０の外部に露出する位置（開いた位置）との間で開閉動作を行う。ディスクトレイ１２０の開閉動作および開閉制御については，さらに後述する。
【００２７】
（ディスク１２５）
ディスク１２５は，例えば，音楽用のＣＤやＭＤ，映像用のＤＶＤなど，ディスクプレーヤ１００に適合する媒体（メディア）であれば，いかなるものであってもよい。特に図３では，ディスク１２５の一例としてＣＤを想定した形状を図示しているが，本発明はこれに限定されない。近年では，記録媒体の大容量化，小型化が進んでおり，全く異なる形状の記録媒体が登場することも考えられるが，本発明はかかる記録媒体の進化にも対応可能である。
【００２８】
（フロントパネル１３０）
フロントパネル１３０は，図１に示したように，筐体１１０の前面に設けられている。本実施形態のフロントパネル１３０は手動で開閉自在であるものを想定している。手動のフロントパネル１３０を採用したことにより，電動式のものに比べてコストダウンと信頼性の向上（故障率が格段に低く，耐久性が高い）が期待できるほか，開閉動作に時間が掛からないなどの効果もある。
【００２９】
そして，フロントパネル１３０は，図１に示したように，フロントパネル１３０の下辺が回動自在に構成されており，ユーザはフロントパネル１３０の上辺を引き出すことで，フロントパネル１３０を手前に倒して開くことができる。フロントパネル１３０が閉じた状態では，フロントパネル１３０の上辺を筐体１１０に磁石などの手段で固定することができる。フロントパネル１３０の開閉方向や，具体的な開閉機構などについては，様々な設計変更が可能である。例えば，左右方向に開閉するもの，スライド式のもの，あるいは筐体１１０から取り外し可能なものであってもよい。
【００３０】
図３には，フロントパネル１３０の開閉動作が示されている。フロントパネル１３０は，図３に示したように，ディスクトレイ１２０の開閉動作の進路を遮る位置（閉じた位置）と，ディスクトレイ１２０の開閉動作の進路を遮らない位置（開いた位置）との間で開閉が自在に構成されている。フロントパネル１３０の開閉は手動で行うことができる。
【００３１】
かかるフロントパネル１３０は，ディスクトレイ１２０にディスク１２５以外の異物の誤挿入を防いだり，ゴミや埃などの進入を防いだりすることが主な役割であるが，ディスクプレーヤ１００のデザインをすっきり見せることができるなどの美観的な役割もある。フロントパネル１３０の開閉動作および開閉制御については，さらに後述する。
【００３２】
（イジェクトボタン１４０）
イジェクトボタン１４０は，筐体１１０の表面（図１の例では，筐体１１０の上面）に設けられている。ユーザはこのイジェクトボタン１４０を押下することにより，ディスクトレイ１２０の開閉動作の指示を与えることができる。イジェクトボタン１４０は，フロントパネル１３０の外側の任意の場所に設けることができる。また，ディスクプレーヤ１００をリモートコントローラで操作可能な場合には，イジェクトボタン１４０をリモートコントローラに設けるようにしてもよい。このように本実施形態では，イジェクトボタン１４０の設計の自由度が非常に高い。
【００３３】
（表示部１５０）
表示部１５０は，このディスクプレーヤ１００の状態など様々な状態を表示するために設けられる。表示部１５０は，例えば，液晶表示部に文字などを表示する方法のほか，発光ダイオード（ＬＥＤ）を利用する方法もある。例えば，発光ダイオードを点滅させたり，光の強さ（明るさ）や色を変えたり，あるいは，複数の発光ダイオードを並べて文字を表したりするなど様々な方法で構成することができる。また，視覚的に表示するのみならず，音や振動などでこのディスクプレーヤ１００の状態を表示するようにしてもよく，これらも広い意味で表示部１５０の実現方法として採用することができる。
【００３４】
表示部１５０に表示される情報としては，例えば，イジェクトボタン１４０が押下されたときに，フロントパネル１３０が閉じている場合に，フロントパネル１３０を開けるように促すメッセージを表示することができる。具体的には，図４に示したように，液晶の表示部１５０に「フロントパネルを開けてください」と表示したり，発光ダイオード（不図示）を点滅させたり，警告音を発したりして，ユーザにフロントパネル１３０を開けるように促すことができる。
【００３５】
なお，図１，図４に示した一例では，表示部１５０が筐体１１０の上面に設けられているが，表示部１５０の位置はこの例に限定されない。例えば，筐体１１０の側面や，フロントパネル１３０の前面あるいは裏面に設けてもよく，あるいは，フロントパネル１３０を開いた状態で，ディスクトレイ１２０の下部に表示部１５０を設けてもよい。さらにまた，表示部１５０は一カ所に限らず複数箇所に設けるようにしてもよい。表示部１５０を複数箇所に設けた場合，その設置場所に応じて表示部１５０に表示させる情報を切り替えるようにしてもよい。
【００３６】
なお，表示部１５０はディスクプレーヤ１００の必須の構成要素ではなく，表示部１５０を設けない簡易な機器構成とすることも可能である。ただし本実施形態では，表示部１５０を設けた場合について説明する。
【００３７】
以上，図１に示した構成要素を中心に説明した。
次いで，図２を参照しながら，ディスクプレーヤ１００の内部構成について説明する。
【００３８】
（制御部１６０）
制御部１６０は，ディスクプレーヤ１００の全体的な制御を行う機能部である。本実施形態では，制御部１６０の特徴的な制御として，以下の制御について説明する。
【００３９】
制御部１６０は，図２に示したように，トレイスイッチ１７０およびパネルスイッチ１８０に接続されている。トレイスイッチ１７０はディスクトレイ１２０の開閉状態を検知するスイッチであり，パネルスイッチ１８０はフロントパネル１３０の開閉状態を検知するスイッチである。そして，制御部１６０は，トレイスイッチ１７０から得られるディスクトレイ１２０の開閉状態，パネルスイッチ１８０から得られるフロントパネル１３０の開閉状態，およびイジェクトボタン１４０の押下に応じて，トレイ制御部１９０を制御する。さらに，制御部１６０は，表示部１５０の表示内容を制御する。
【００４０】
（ディスクトレイ１２０の開閉状態）
制御部１６０による，ディスクトレイ１２０の開閉状態の判断について，図５を参照しながら説明する。図５は，ディスクトレイ１２０の開閉動作を示す説明図である。
【００４１】
（トレイスイッチ１７０）
図５に示した一例では，トレイスイッチ１７０は２つのトレイスイッチ１７０ａ，１７０ｂからなっている。各トレイスイッチ１７０ａ，１７０ｂは，例えば発光素子と受光素子とからなるフォトセンサであり，トレイスイッチ１７０ａ，１７０ｂの上方にディスクトレイ１２０が存在しない場合にはオフ（ＯＦＦ），存在する場合にはオン（ＯＮ）するように構成されている。なおフォトセンサとしては，透過型のフォトインタラプタや反射型のフォトリフレクタなどが知られている。このような光学検出によれば，精度の高い位置検出・角度検出が可能である。また，機械的な接触がないため，信頼性が高い。
【００４２】
図５（ａ）はディスクトレイ１２０が閉じた状態である。このときトレイスイッチ１７０ａの上方にはディスクトレイ１２０が存在しないため，トレイスイッチ１７０ａはオンしている。また，トレイスイッチ１７０ｂの上方にはディスクトレイ１２０が存在しているため，トレイスイッチ１７０ｂはオフしている。
【００４３】
図５（ｂ）はディスクトレイ１２０が閉じた状態から開いた状態へ（あるいはその逆方向）動作する状態である。このときトレイスイッチ１７０ａの上方にはディスクトレイ１２０が存在しているため，トレイスイッチ１７０ａはオフしている。また，トレイスイッチ１７０ｂの上方にもディスクトレイ１２０が存在しているため，トレイスイッチ１７０ｂもオフしている。
【００４４】
図５（ｃ）はディスクトレイ１２０が開いた状態である。このときトレイスイッチ１７０ａの上方にはディスクトレイ１２０が存在していないため，トレイスイッチ１７０ａはオンしている。また，トレイスイッチ１７０ｂの上方にはディスクトレイ１２０が存在しているため，トレイスイッチ１７０ｂはオフしている。
【００４５】
以上をまとめたのが図６である。図６は，ディスクトレイ１２０の状態とトレイスイッチ１７０の状態との関係を示す説明図である。
【００４６】
このように，２つのトレイスイッチ１７０ａ，１７０ｂを設けたことで，オン・オフの組み合わせで最大４通りの状態を表現可能である。図５，図６では，このうち３通りの状態を表現しているが，このほかに，２つのトレイスイッチ１７０ａ，１７０ｂがともにオンする状態を表現可能である。２つのトレイスイッチ１７０ａ，１７０ｂがともにオンする状態とは，例えば，ディスクトレイ１２０が筐体１１０から外れている場合である。制御部１６０は，このような場合にも何らかの制御を行うようにしてもよい。例えば，ディスクトレイ１２０が筐体１１０から外れていることを表示部１５０に表示するように制御してもよい。
【００４７】
（フロントパネル１３０の開閉状態）
制御部１６０は，フロントパネル１３０の開閉状態を次のように判断する。
【００４８】
図７は，フロントパネル１３０が完全に閉じた状態を示す説明図である。この状態では，ディスク１２５を載置した状態のトレイ１２０が開閉動作を行おうとすると，フロントパネル１３０が障害となって，開閉動作を行うことができない。
【００４９】
図８は，フロントパネル１３０が開いた状態を示す説明図である。この状態では，ディスク１２５を載置した状態のトレイ１２０が開閉動作を行おうとすると，フロントパネル１３０が障害となることなく，開閉動作を行うことができる。図８において実線で示したフロントパネル１３０の位置は，フロントパネル１３０が完全に開いた状態である。図８において破線で示したフロントパネル１３０の位置について，以下に説明する。
【００５０】
フロントパネルが完全に閉じた状態（図７）から見たフロントパネル１３０の開いた角度を開度αとする。図７に示した状態は開度α＝０°であり，図８において実線で示したフロントパネル１３０の位置は開度α＝９０°である。図８に破線のフロントパネル１３０で示したように，フロントパネル１３０の端部とディスクトレイ１２０とが接するか接しないかの境界を開度α＝α０としたとき，開度α≦α０のときをフロントパネル１３０が「閉じた状態」と定義し，開度α＞α０のときをフロントパネル１３０が「開いた状態」と定義する。
【００５１】
すなわち，フロントパネル１３０がディスクトレイ１２０の開閉動作を妨害する状態（ディスクトレイ１２０の進路を遮る状態）を，フロントパネル１３０が「閉じた位置」と定義し，フロントパネル１３０がディスクトレイ１２０の開閉動作を妨害しない状態（ディスクトレイ１２０の進路を遮らない状態）を，フロントパネル１３０が「開いた位置」と定義する。なお，説明の便宜上，開度α＝０°を「完全に閉じた状態」といい，開度α＝９０°を「完全に開いた状態」という。なお，「完全に開いた状態」とは，開度αがそれより大きくならない状態をいい，ディスクプレーヤ１００の仕様に応じて，開度α＝９０°より小さくてもよく，あるいは大きくてもよい。
【００５２】
（パネルスイッチ１８０）
パネルスイッチ１８０は，以上説明したフロントパネル１３０の開閉角度を検知するスイッチであり，例えば１つまたは２つ以上スイッチ（メカスイッチ）で構成することができる。パネルスイッチ１８０を２つ以上のスイッチで構成することにより，角度検知の誤差を吸収することができ，検知精度を上げることができる。なお，パネルスイッチ１８０の設置場所については特に限定されないが，例えば，フロントパネル１３０の回動軸（ヒンジ部）近傍に設置することにより，検知精度を上げることができる，検知角度の制約を受けにくい，ユーザによる誤動作を防止できるなどの効果がある。なお，スイッチの構成そのものは本実施形態の本質的な特徴でないので，詳細な説明を省略する。
【００５３】
図９は，フロントパネル１３０の状態とパネルスイッチ１８０の状態との関係を示す説明図である。パネルスイッチ１８０は，図９に示したように，フロントパネル１３０が閉じた状態，すなわち，開度α≦α０のときにオフし，フロントパネル１３０が開いた状態，すなわち，開度α＞α０のときにオンする。
【００５４】
フロントパネル１３０の開度αに関する情報は，パネルスイッチ１８０から制御部１６０に送られる。制御部は，フロントパネル１３０の開度αに応じて，上述のようにフロントパネル１３０の開閉状態を判断することができる。
【００５５】
以上，制御部１６０による，ディスクトレイ１２０の開閉状態の判断およびフロントパネル１３０の開閉状態の判断について説明した。
【００５６】
（トレイ制御部１９０）
トレイ制御部１９０は，ディスクトレイ１２０のメカ制御を行う機能部である。トレイ制御部１９０は，ディスクトレイ１２０を駆動するためのモータや，ディスク１２５の再生／記録性能向上のための各種自動調整機能やエラーモニタ用検出回路などからなるデジタルサーボ部などを含む。なお，ディスクトレイ１２０の駆動機構そのものやディスク１２５の再生／記録機構そのものについては，本実施形態に特徴的な構成ではないので，詳細な説明を省略する。
【００５７】
本実施形態にかかるディスクプレーヤ１００は，以上のように構成されている。
【００５８】
（第１の実施形態の動作）
次いで，ディスクプレーヤ１００の動作について説明する。図１０は，ディスクプレーヤ１００の動作を示すフローチャートである。
【００５９】
ディスクトレイ１２０にディスクが載置された状態で，ディスクトレイ１２０が閉じた状態であるとする（ステップＳ１１）。
【００６０】
まず，イジェクトボタン１４０が押下されたかを判断する（ステップＳ１２）。イジェクトボタン１４０が押下された場合，すなわち，ディスクの排出命令を受けた場合には，パネルスイッチ１８０の状態を確認する（ステップＳ１３）。パネルスイッチ１８０がオフの場合には，フロントパネル１３０が開いた状態であると判断し，ディスクトレイ１２０を閉じた状態から開いた状態へと動作させる。このようにして，ディスクの排出動作が行われる（ステップＳ１４）。なお，ディスクトレイ１２０が空の状態，すなわち，ディスクトレイ１２０にディスクを載置するためにディスクトレイ１２０を開く際の動作も，上記と同様である。
【００６１】
ステップＳ１３においてパネルスイッチがオンの場合には，フロントパネル１３０が閉じた状態であると判断し，ディスクの排出動作を中止する。
【００６２】
なお，ステップＳ１３においてフロントパネル１３０が閉じた状態であると判断された場合に，ユーザにフロントパネル１３０を開くように促すことも可能である。例えば，図４に示したように，表示部１５０にフロントパネル１３０が閉じていることの警告を発するようにしてもよい。
【００６３】
（第１の実施形態の効果）
以上説明したように，本実施形態によれば，ディスク（記録媒体）の出し入れを妨げるフロントパネル１３０がある場合に，メカ制御装置を搭載しなくとも，フロントパネル１３０に記録媒体がぶつかることがなくなるため，本体のイジェクトボタン１４０をフロントパネル１３０の外に配置することや，リモートコントローラにイジェクトボタンを搭載することが可能になる。また，録音後などに自動的にディスク（記憶媒体）を排出する機能についても，メカ制御装置を追加することなく実現できる。このように，デザイン上や機能上の制約が解消され，幅の広い製品企画を行うことができる。また，メカ制御装置を搭載しないことにより，コストダウンと信頼性の向上が期待できる。
【００６４】
（第２の実施形態）
本発明の第２の実施形態について説明する。
本実施形態の構成は，上記第１の実施形態の構成と実質的に同一であるので，重複説明を省略する。
【００６５】
（第２の実施形態の動作）
本実施形態の動作について説明する。図１１は，本実施形態の動作を示すフローチャートである。
【００６６】
ディスクトレイ１２０にディスクが載置された状態で，ディスクトレイ１２０が閉じた状態であるとする（ステップＳ２１）。
【００６７】
まず，イジェクトボタン１４０が押下されたかを判断する（ステップＳ２２）。イジェクトボタン１４０が押下された場合，すなわち，ディスクの排出命令を受けた場合には，パネルスイッチ１８０の状態を確認する（ステップＳ２３）。パネルスイッチ１８０がオフの場合には，フロントパネル１３０が開いた状態であると判断し，ディスクトレイ１２０を閉じた状態から開いた状態へと動作させる。このようにして，ディスクの排出動作が行われる（ステップＳ２４）。なお，ディスクトレイ１２０が空の状態，すなわち，ディスクトレイ１２０にディスクを載置するためにディスクトレイ１２０を開く際の動作も，上記と同様である。以上の動作は，上記第１の実施形態と実質的に同様である。
【００６８】
本実施形態では，ステップＳ２３においてフロントパネル１３０が閉じた状態であると判断された場合（パネルスイッチ１８０がオンの場合）に，所定時間Ｔの間，パネルスイッチ１８０の状態を監視する。そして，所定時間Ｔの間にパネルスイッチ１８０がオフに変化したとき，すなわち，所定時間Ｔの間にフロントパネル１３０が開いた状態になったとき（ステップＳ２５），ディスクの排出動作を開始する（ステップＳ２４）。
【００６９】
ステップＳ２５において所定時間Ｔを経過してもパネルスイッチ１８０がオフに変化しない場合には，ディスクの排出動作を中止する。
【００７０】
なお，ステップＳ１３においてフロントパネル１３０が閉じた状態であると判断された場合に，ユーザにフロントパネル１３０を開くように促すことも可能である。例えば，図４に示したように，表示部１５０にフロントパネル１３０が閉じていることの警告を発するようにしてもよい。特に，所定時間Ｔの間パネルスイッチ１８０の状態を監視する本実施形態においては，ユーザにフロントパネル１３０を開くように促すことが極めて効果的である。
【００７１】
さらにこのとき，所定時間Ｔを表示部１５０に表示することも可能である。すなわち，上記第１の実施形態では，イジェクトボタン１４０が押下されたときに，フロントパネルが閉じている場合に，液晶の表示部１５０に「フロントパネルを開けてください」と表示する例について説明した（図４）。本実施形態では，図１２に示したように，液晶の表示部１５０に，所定時間Ｔからダウンカウント表示して，「ＴＩＭＥが０になるまでにフロントパネルを開けてください」のように表示することができる。かかるダウンカウント表示も様々な方法を採用することができる。例えば，表示部１５０を発光ダイオード（ＬＥＤ）で構成した場合には，発光ダイオードを一つずつ消灯したり，発光ダイオードの明るさを徐々に弱くしたりするなどの方法を採用することができる。
【００７２】
（第２の実施形態の効果）
以上説明したように，本実施形態によれば，フロントパネル１３０を開くように促すメッセージとともに，所定時間Ｔに関する情報をメッセージ表示するようにしたことで，ユーザにイジェクト処理を一層促すことができる。そして，所定時間Ｔの間，パネルスイッチ１８０の状態を監視し，フロントパネル１３０が開いた状態になったときにはディスクの排出動作を開始し，フロントパネル１３０が開かれないときにはイジェクト操作を無効化することで，操作性を向上させることができる。
【００７３】
以上，添付図面を参照しながら本発明にかかる電子機器および電子機器の制御方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００７４】
例えば，上記実施形態においては，ステップＳ１２（図１０）あるいはステップＳ２２（図１１）において，イジェクトボタン１４０が押下されたかを判断することにより，ディスクの排出動作を開始するようにしたが，本発明はこれに限定されない。例えば，ディスクの記録／再生が終了した場合に自動的に排出動作を行うように構成することができ，この場合にも同様の排出動作を行うことが可能である。このような構成の電子機器の一例としては，例えば，ソフトウェアやファームウェアをインストールディスクによりアップグレードするコンピュータであって，インストール完了後に自動的にインストールディスクを排出するような場合などが挙げられる。
【００７５】
また，上記実施形態においては，ディスクトレイ１２０の開閉状態を調べるためのトレイスイッチ１７０として，２つのトレイスイッチ１７０ａ，１７０ｂからなる構成について説明したが（図５），本発明はこれに限定されない。例えば，２つのトレイスイッチを図１３に示した位置に設けるようにしてもよい。図１３（ａ）はディスクトレイ１２０が閉じた状態であり，トレイスイッチ１７０ａはオフしており，トレイスイッチ１７０ｂもオフしている。図１３（ｂ）はディスクトレイ１２０が閉じた状態から開いた状態へ（あるいはその逆方向）動作する状態であり，トレイスイッチ１７０ａはオフしており，トレイスイッチ１７０ｂはオンしている。図１３（ｃ）はディスクトレイ１２０が開いた状態であり，トレイスイッチ１７０ａはオンしており，トレイスイッチ１７０ｂもオンしている。以上をまとめたのが図１４であり，ディスクトレイ１２０の状態とトレイスイッチ１７０の状態との関係を示している。
【００７６】
あるいは，トレイスイッチ１７０を１つのスイッチで構成し，そのオン・オフで２通りの状態（ディスクトレイ１２０が開いた状態と閉じた状態）を表現するようにしてもよい。また，トレイスイッチ１７０を３つ以上のスイッチで構成してもよい。
【００７７】
また，上記実施形態では，トレイスイッチ１７０として光学的スイッチを採用し，パネルスイッチ１８０として機械的なスイッチ（メカスイッチ）を採用した場合について説明したが，本発明はこれに限定されない。トレイスイッチ１７０に機械的なスイッチ（メカスイッチ）を採用してもよく，また，パネルスイッチ１８０に光学的スイッチを採用してもよい。
【産業上の利用可能性】
【００７８】
本発明は，電子機器および電子機器の制御方法に利用可能であり，特に，記録媒体の出し入れを行うための開閉自在なフロントパネルを備えた電子機器および電子機器の制御方法に利用可能である。
【図面の簡単な説明】
【００７９】
【図１】ディスクプレーヤ１００の外観を概略的に示す説明図である。
【図２】ディスクプレーヤ１００の機能を概略的に示す説明図である。
【図３】ディスクトレイ１２０とフロントパネル１３０の開閉動作を示す説明図である。
【図４】表示部１５０の表示内容を示す説明図である。
【図５】ディスクトレイ１２０の開閉動作を示す説明図である。
【図６】ディスクトレイ１２０の状態とトレイスイッチ１７０の状態との関係を示す説明図である。
【図７】フロントパネル１３０が閉じた状態を示す説明図である。
【図８】フロントパネル１３０が開いた状態を示す説明図である。
【図９】フロントパネル１３０の状態とパネルスイッチ１８０の状態との関係を示す説明図である。
【図１０】第１の実施形態の動作を示すフローチャートである。
【図１１】第２の実施形態の動作を示すフローチャートである。
【図１２】表示部１５０の表示内容を示す説明図である。
【図１３】ディスクトレイ１２０の開閉動作を示す説明図である。
【図１４】ディスクトレイ１２０の状態とトレイスイッチ１７０の状態との関係を示す説明図である。
【符号の説明】
【００８０】
１００  ディスクプレーヤ（電子機器）
１１０  筐体
１２０  ディスクトレイ
１２５  ディスク（記録媒体）
１３０  フロントパネル
１４０  イジェクトボタン
１５０  表示部
１６０  制御部
１７０（１７０ａ，１７０ｂ）  トレイスイッチ
１８０  パネルスイッチ
１９０  トレイ制御部
【図１】
2006099865.tif 000003
【図２】
2006099865.tif 000004
【図３】
2006099865.tif 000005
【図４】
2006099865.tif 000006
【図５】
2006099865.tif 000007
【図６】
2006099865.tif 000008
【図７】
2006099865.tif 000009
【図８】
2006099865.tif 000010
【図９】
2006099865.tif 000011
【図１０】
2006099865.tif 000012
【図１１】
2006099865.tif 000013
【図１２】
2006099865.tif 000014
【図１３】
2006099865.tif 000015
【図１４】
2006099865.tif 000016